(57)【要約】【課題】円滑に水路を開閉でき、膜体の修理・点検が容易にできる防潮・防波堤を提供することができるようにする。【解決手段】水路を間に挟む一対の係止基礎１２Ｒ、１２Ｌと、これら係止基礎１２Ｒ、１２Ｌ間に架設されて水路を閉じる膜体１４と、膜体１４に固定されて、水路に浮かぶ浮体１６とを備え、浮体１６を一方向に回転させて、浮体１６に膜体１４を巻き付け、他方に回転させて、膜体１４を送り出す回転手段２０、２１、２２、２３、２４、２５、２６を備えることを特徴とする。【選択図】　図３
2004132085.tif 000002
【特許請求の範囲】
【請求項１】
水路を間に挟む一対の係止基礎と、これら係止基礎間に架設されて前記水路を閉じる膜体と、前記膜体に固定されて、前記水路に浮かぶ浮体とを備え、
前記浮体を一方向に回転させて、該浮体に前記膜体を巻き付け、他方に回転させて、前記膜体を送り出す回転手段を備えることを特徴とする防潮・防波堤。
【請求項２】
請求項１記載の防潮・防波堤において、
前記回転手段は、前記浮体の内部で移動して前記浮体の重心を変化させる重りと、該重りを移動させる移動手段とを備えることを特徴とする防潮・防波堤。
【請求項３】
水路を間に挟む一対の係止基礎と、これら係止基礎間に架設されて前記水路を閉じる膜体と、前記膜体に固定されて、前記水路に浮かぶ浮体とを備え、
前記膜体と前記浮体との間には、前記膜体を引き上げ、下ろしする索条体が設けられ、
前記索条体には、前記索条体とはスライド可能で、前記膜体に係って前記膜体を保持する保持部材と、前記索条体を巻き上げ、巻き戻しする牽引手段とが設けられていることを特徴とする防潮・防波堤。
【請求項４】
請求項３記載の防潮・防波堤において、
前記浮体が、前記膜体を水面よりも上で保持する保持手段を備えていることを特徴とする防潮・防波堤。
【請求項５】
請求項３記載の防潮・防波堤において、
前記浮体が、その下面に、前記膜体を収納する凹部を備え、
前記凹部には、前記膜体を水面上に保持する保持手段が設けられることを特徴とする防潮・防波堤。
【発明の詳細な説明】
【０００１】
【発明の属する技術分野】
本発明は、港湾、漁港、河川などに設けられる防潮・防波堤に関する。
【０００２】
【従来の技術】
従来、この種の防潮・防波堤として、下記特許文献１に示すものが知られている。これについて、図９、図１０を参照して説明する。図９において、防潮・防波堤１００は、水底に打設された基盤コンクリート１０１と、気密な袋状体に形成された可撓性膜１０２と、可撓性膜１０２を基盤コンクリート１０１に固定する固定部１０３と、可撓性膜１０２内に流体を供給・排出する供給管１０４・排出管１０５と、供給・排出設備（図示せず）と、可撓性膜１０２内に配置された、箱型形状の収納部１０６とを主な構成要素としている。収納部１０６の上面には、可撓性膜１０２を収納・展開するための開口部１０７が設けられている。また、可撓性膜１０２は、基盤コンクリート１０１と接触している下部可撓性膜１０８と、それ以外の上部可撓性膜１０９とから構成されている。
【０００３】
上記の構成からなる防潮・防波堤１００において、可撓性膜１０２を倒伏させるときには、前記供給・排出設備からの排出管１０５を介して可撓性膜１０２内の空気を、強制的に排出する。そして、水圧により上部可撓性膜１０９は、まず、収納部１０６の外面に接触する。その後、上部可撓性膜１０９は、略中央部の左右から水圧により押されて合掌状態に接触し、開口部１０７から収納部１０６内へ落ち込み、図１０に示すように収納される。
【０００４】
逆に、可撓性膜１０２を起立させるときには、供給・排出設備からの供給管１０４を介して、可撓性膜１０２内に空気を強制的に供給する。空気が供給された可撓性膜１０２の上部可撓性膜１０９は、空気の浮力により、開口部１０７から収納部１０６外へ展開し、図９に示す鉛直断面において、略円弧形状をなして起立する。このようにして、上部可撓性膜１０９の頂上部が水面上に突出することにより、防潮・防波堤１００は、水の流れを止め、波を防ぐことができる。
【０００５】
【特許文献１】
特開昭６２−１７８６１４号公報　（第２−３頁、第１図、第２図）
【０００６】
【発明が解決しようとする課題】
ところで、上記の防潮・防波堤１００においては、可撓性膜１０２の内部に空気を入れたり、出したりして上部可撓性膜１０９を展張、収納して水路を開閉しているが、上部可撓性膜１０９を展張する際に、上部可撓性膜１０９が収納部１０６に引っかかり円滑に展張できなかったり、上部可撓性膜１０９を収納するときに、上部可撓性膜１０９がうまく折りたたまれず、開口部１０７から収納部１０６内へ円滑に収納されなかったりして、円滑に水路を開閉できない可能性があるという問題があった。
【０００７】
また、可撓性膜１０２は、内部に空気が供給され、起立しているときでも、その大半が水中にあり、倒伏しているときには、完全に水中に没しているため、可撓性膜１０２の修理、点検は、水中で行わなければならず、修理、点検しにくいという問題があった。
【０００８】
この発明は、このような事情を考慮してなされたもので、その目的は、円滑に水路を開閉でき、膜体の修理・点検が容易にできる防潮・防波堤を提供することにある。
【０００９】
【課題を解決するための手段】
本発明の防潮・防波堤では、上記課題を解決するため、以下の手段を採用した。
請求項１にかかる発明は、水路を間に挟む一対の係止基礎と、これら係止基礎間に架設されて前記水路を閉じる膜体と、前記膜体に固定されて、前記水路に浮かぶ浮体とを備え、前記浮体を一方向に回転させて、該浮体に前記膜体を巻き付け、他方に回転させて、前記膜体を送り出す回転手段を備えることを特徴とする。
【００１０】
この発明にかかる防潮・防波堤によれば、前記浮体が、前記回転手段により一方向、または他方向に回転することができる。前記浮体を一方向に回転させると、前記膜体は、前記浮体に巻き付き、前記膜体を収納することができる。また、前記浮体を他方向に回転させると、前記膜体は、送り出され、前記膜体を展開することができる。
【００１１】
前記膜体は、前記浮体に巻き付いて収納される。そのため、水上に引き上げる際に、前記膜体は広がることなく、容易に水上に引き上げることができる。
【００１２】
請求項２にかかる発明は、請求項１記載の防潮・防波堤において、前記回転手段は、前記浮体の内部で移動して前記浮体の重心を変化させる重りと、該重りを移動させる移動手段とを備えることを特徴とする。
【００１３】
この発明にかかる防潮・防波堤によれば、前記移動手段を用いて、前記重りを移動させて、前記浮体の重心を変化させることにより、前記浮体を回転させることができる。
【００１４】
請求項３にかかる発明は、水路を間に挟む一対の係止基礎と、これら係止基礎間に架設されて前記水路を閉じる前記膜体と、前記膜体に固定されて、前記水路に浮かぶ浮体とを備え、前記膜体と前記浮体との間には、前記膜体を引き上げ、下ろしする索条体が設けられ、前記索条体には、前記索条体とはスライド可能で、前記膜体に係って前記膜体を保持する保持部材と、前記索条体を巻き上げ、巻き戻しする牽引手段とが設けられていることを特徴とする。
【００１５】
この発明にかかる防潮・防波堤によれば、前記牽引手段により、前記索条体を巻き上げ、巻き戻しすると、前記膜体は、引き上げ、下ろしされる。
前記膜体には、前記索条体とスライド可能な前記保持部材が保持されているため、前記索条体を巻き上げると、前記膜体は、前記保持部材の長さだけ間隔を開けて、折りたたむように引き上げられる。折りたたむように引き上げられるので、前記膜体の引き上げた後に、前記膜体を折りたたむ作業を行う必要がなく、円滑に収納される。
また、前記膜体は、折りたたむように引き上げられていたので、前記索条体を巻き戻すと、前記膜体は、もつれることなく円滑に広がり、展張される。
【００１６】
前記膜体は、前記索条体により、折りたたむように引き上げられている。そのため、水上に引き上げる際に、前記膜体は広がることなく、容易に水上に引き上げることができる。
【００１７】
請求項４にかかる発明は、請求項３記載の防潮・防波堤において、前記浮体が、前記膜体を水面よりも上で保持する保持手段を備えていることを特徴とする。
【００１８】
この発明にかかる防潮・防波堤によれば、前記膜体は、前記索条体により引き上げられ、水面よりも上で前記保持手段に保持される。そのため、前記膜体は、水面上で修理・点検することができる。
【００１９】
前記膜体は、前記保持手段から水中に落下すると、折りたたむように引き上げられていたので、円滑に広がり、展張される。
【００２０】
請求項５にかかる発明は、請求項３記載の防潮・防波堤において、前記浮体が、その下面に、前記膜体を収納する凹部を備え、前記凹部には、前記膜体を水面上に保持する保持手段が設けられることを特徴とする。
【００２１】
この発明にかかる防潮・防波堤によれば、前記膜体は、前記索条体により、前記凹部に収納され、前記保持手段により水面上に保持される。そのため、前記膜体は、水面上で修理・点検することができる。
【００２２】
前記保持手段を解除すると、前記膜体は、前記凹部から水中に落下する。水中に落下した前記膜体は、折りたたむように引き上げられていたので、前記索条体を引き下ろすと、前記膜体は円滑に広がり、展張される。
【００２３】
【発明の実施の形態】
以下、図面を参照し、この発明の実施の形態について説明する。図１から図４は、この発明の第一の実施形態を示す図である。
図１および図２において、防潮・防波堤１０は、海側と港側とをつなぐ水路を開閉する遮蔽体である膜構造物１１と、膜構造物１１の端部を係止するアンカレイジ（係止基礎）１２Ｒ、１２Ｌと、アンカレイジ１２Ｒ、１２Ｌの左右に伸びる防波堤１３Ｒ、１３Ｌとを主な構成要素として構成されている。
【００２４】
膜構造物１１には、水路を遮蔽する膜体１４と、水圧をアンカレイジ１２Ｒ，１２Ｌに伝達する複数のケーブルワイヤ１５と、膜構造物１１上部に浮力を与える浮体１６とが設けられ、ケーブルワイヤ１５の両端には、アンカレイジ１２Ｒ、１２Ｌと連結するための連結体１７が設けられている。ケーブルワイヤ１５は、膜体１４の幅方向に沿って、互いに所定間隔離して配置され、膜体１４は、海側からケーブルワイヤ１５に貼り付くように固定されている。
【００２５】
アンカレイジ１２Ｒ、１２Ｌには、連結体１７を係止するガイド溝１８が、水路側に面するように設けられている。ガイド溝１８は、当該水域の深さ方向に沿って形成されている。ガイド溝１８に係止された各連結体１７は、膜構造体１１を展張した状態（図２参照）から水面に向けて収納する際には、ガイド溝１８に沿って上方に移動するようになっている。
【００２６】
浮体１６は、図３に示すように、円筒形状をなしており、その中心を、水面に沿って展張されるケーブルワイヤ１５Ａに貫かれて、回転自在に支持されている。円筒の外周面には、膜構造物１１が固定されている。浮体１６の内部には、両端に、第一の支持杆体２０（回転手段）が、浮体１６の回転軸Ｘに対して略垂直、かつ浮体１６の直径方向に設けられ、略中央部に、第二の支持杆体２１（回転手段）が、浮体１６の回転軸Ｘに対して略垂直で、浮体１６の直径方向に、かつ、第一の支持杆体２０とも略垂直をなすように設けられている。
第一の支持杆体２０には、第一の重り（回転手段）２２が、第一の支持杆体２０に沿ってスライド自由に設けられ、第二の支持杆体２１には、質量が第一の重りの約２倍である、第二の重り（回転手段）２３が、第二の支持杆体２１に沿ってスライド自在に設けられている。
【００２７】
また、浮体１６には、第一の重り２２と第二の重り２３との位置を、第一の重り２２および第二の重り２３の角度により検知するセンサ（回転手段）２４が設けられ、第一の重り２２と第二の重り２３とを、スライド移動させる駆動部（移動手段、回転手段）２５が設けられている。さらに、センサ２４の信号に基づいて駆動部２５を制御する制御部（回転手段）２６が設けられている。
【００２８】
上記の構成からなる防潮・防波堤１０においては、図１及び図２に示すように、膜構造物１１が、アンカレイジ１２Ｒ、１２Ｌ間に展張された状態において、浮体１６内部の第一の重り２２および第二の重り２３の位置は、図４（ａ）示すようになっている。浮体１６の重心Ｇは、浮体１６の浮心Ｃの略鉛直下方に位置するため、浮体１６は回転しないで、安定した状態で浮かんでいる。
なお、ここでは、説明を判りやすくするために、浮体１６について、第一の重り２２、第二の重り２３以外の重量は、考えないことにする。
【００２９】
膜構造物１１を引き上げるときには、図３、および図４（ａ）に示すように、まず、センサ２４が、第一の重り２２および第二の重り２３の位置を検知し、検知信号を制御部２６に出力する。制御部２６は、センサ２４の検知信号と浮体１６の浮心Ｃの位置関係に基づき、駆動部２５を制御して、第一の重り２２を第一の支持杆体２０に沿ってスライドさせる。すると、第一の重り２２と第二の重り２３との重心Ｇは、図４（ｂ）に示すように、浮体１６の浮心Ｃの略鉛直下方から移動し、浮体１６に回転モーメントが発生する。発生した回転モーメントにより浮体１６は１／４回転する。
同様にして、つぎに、第二の重り２３を第二の支持杆体２１に沿ってスライドさせる。すると、第一の重り２２と第二の重り２３との重心Ｇは、再び、浮心Ｃの略鉛直下方から移動し、浮体に回転モーメントが発生し、浮体１６は、１／４回転する。
上記の手順を繰り返すことにより、連続して回転モーメントが発生し、浮体１６は、発生した回転モーメントにより、連続して回転する。浮体１６は、回転することにより、膜構造物１１を巻き付けながら、引き上げる。
【００３０】
膜構造物１１を全て巻きつけたら、第一の重り２２と第二の重り２３との位置を、再び、図４（ａ）に示すように制御し、浮体１６の回転を止める。
その後、膜構造物１１とアンカレイジ１２Ｒ、１２Ｌとの締結を解き、膜構造物１１を収納する。
【００３１】
また、浮体１６に、膜構造物１１が巻き付いている状態から、膜構造物１１を展張するときには、浮体１６は、膜構造物１１を巻きつけたときと逆に回転される。
つまり、膜構造物１１の展張開始時は、第二の重り２３をスライドさせて、重りの配置を、図４（ｂ）と逆にして、逆の回転モーメントを発生させる。すると、浮体１６は、逆に回転し、浮体１１に巻き付いていた膜構造物１１は、展張され始める。
【００３２】
膜構造物１１が、展張され始めると、展張された膜構造物１１の質量が浮体１６に働き、逆の回転モーメントはさらに大きくなる。そのため、制御部２６は、重りの重心Ｇを浮体１６の浮心Ｃの略鉛直下方近くへ移動させ、逆の回転モーメントが小さくなるように制御する。
【００３３】
上記の構成によれば、浮体１６に発生する回転モーメントを制御することにより、膜構造物１１の巻き上げ、巻き下ろしに必要な力を制御することができる。つまり、膜構造物１１を円滑に展張、収納できることになり、円滑に水路を開閉できる。
【００３４】
浮体１６の両端に第一の重り２２、略中央に第二の重り２３を配置することにより、浮体１６のバランスが良くなり、膜構造物１１の巻き上げ、巻き下ろしを安定して行うことができる。つまり、膜構造物１１を円滑に展張、収納できることになり、円滑に水路を開閉できる。
【００３５】
また、膜構造物１１は、浮体１６に巻き付けられて、引き上げられる。そのため、膜構造物１１とアンカレイジ１２Ｒ、１２Ｌとの連結を解いて、水上に引き上げる際には、膜構造物１１は広がらない。膜構造物１１は広がらないため、容易に水上に引き上げることができ、膜構造物１１の修理・点検が容易にできる。
【００３６】
図５は、この発明の第二の実施形態を示す図である。全体の構成は、図１に示すものと同様であり、同一構成要素には同一符号を付し、その説明を省略する。図５において、防潮・防波堤５０の膜構造物１１には、膜構造物１１の下端に結合され、展張、収納に用いられるロープ（索条体）５１、およびワイヤロープ１５に固定され、ロープ５１とスライド可能に設けられたスペーサ（保持部材）５２とが設けられている。また、浮体１６´の上部に、膜構造物１１を収納する収納杆体（保持手段）５３と、ロープ５１を牽引するウインチ（牽引手段）５４と、収納杆体５３を支える支持杆体５５とが設けられている。
【００３７】
上記の構成からなる防潮・防波堤５０においては、膜構造物１１が、浮体１６´上の収納杆体５３に折りたたまれて保持されている。この状態から、膜構造物１１を展張する際には、まず、図５に示すように、ウインチ５４により、ロープ５１を引き出す。すると、膜構造物１１は自重により、折りたたまれた状態から広がり、下方へ展張される。
【００３８】
また、膜構造物１１を、浮体１６´に収納する際には、まず、ウインチ５４により、ロープ５１を巻き取る。すると、膜構造物１１の下端はロープ５１と結合されているので引き上げられ、膜構造物１１の中間地点は、スペーサ５２によりロープ５１とスライド可能に支持されているので、下から順番に折りたたまれながら引き上げられる。最後に、膜構造物１１全体が水の上に引き上げられ、収納杆体５３に保持される。
【００３９】
膜構造物１１が、浮体１６´上に収納された後は、長いケーブルワイヤ１５を浮浮体１６´間でたるませて、各ケーブルワイヤ１５の長さの違いを、浮体１６´間で補う。
【００４０】
上記の構成によれば、膜構造物１１は、その下端をロープ５１と結合され、その中間地点は、ロープ５１とスライド可能なスペーサ５２が固定されている。そのため、ロープ５１を引き上げると、膜構造物１１は、スペーサ５２の長さだけ間隔を開けて、折りたたむように引き上げられる。折りたたむように引き上げられるので、膜構造物１１を引き上げた後に、折りたたむ作業を行う必要がないため、円滑に水路を開くことができる。
【００４１】
また、膜構造物１１を、折りたたむように引き上げるので、ロープ５１を引き下ろすと、膜構造物１１は、もつれることなく円滑に広がり、展張され、円滑に水路を閉じることができる。
【００４２】
収納杆体５３は、浮体１６´の上面に設けられているので、膜構造物１１は水面上に保持される。そのため、膜構造物１１の修理・点検が容易にできる。
【００４３】
図６は、この発明の第三の実施形態を示す図である。全体の構成は、図１に示すものと同様であり、同一構成要素には同一符号を付し、その説明を省略する。図６において、防潮・防波堤６０の膜構造物１１には、膜構造物１１の下端に結合され、展張、収納に用いられるロープ５１、およびワイヤロープ１５に固定され、ロープ５１とスライド可能に設けられたスペーサ５２とが設けられている。
浮体１６´´の上部には、一対の回転自在に設けられたホイール（保持手段）６１と、ホイール６１に巻回され、膜構造物を保持する無端ベルト（保持手段）６２と、ロープ５１を牽引するウインチ（牽引手段）６３とが設けられている。
【００４４】
上記の構成からなる防潮・防波堤６０においては、図６に示すように、膜構造物１１が、無端ベルト６２上に折りたたまれて収納されている。この状態から、膜構造物１１を展開する際には、まず、ウインチ６３により、ロープ５１を引き出す。すると、膜構造物１１は自重により、無端ベルト６２から水中に落下する。その後、折りたたまれていた膜構造物１１は、ロープ５１が引き出されるにつれて、膜構造物１１の上部から徐々に広がりながら、下方へ展張される。
【００４５】
また、膜構造物１１を、浮体１６´´に収納する際には、まず、ウインチ６３により、ロープ５１を巻き取る。すると、膜構造物１１の下端はロープ５１と結合されているので引き上げられ、膜構造物１１の中間地点は、スペーサ５２によりロープ５１とスライド可能に支持されているので、下から順番に折りたたまれながら引き上げられる。膜構造物１１は、完全に折りたたまれた後、さらに引き上げられ、無端ベルト６２の上に保持される。無端ベルト６２は、回転自在のホイール６２に巻回されているので、膜構造物１１が、無端ベルト６２上に引き上げられるときには、引き上げられる膜構造物１１にあわせて、無端ベルト６２が回転する。
【００４６】
膜構造物１１が、浮体１６´´上に収納された後は、長いケーブルワイヤ１５を浮体１６´´間でたるませて、各ケーブルワイヤ１５の長さの違いを、浮体１６´´間で補う。
【００４７】
上記の構成によれば、無端ベルト６２は浮体１６´´の上部に設けられているので、膜構造物１１は水面上に保持されるため、膜構造物１１の修理・点検が容易にできる。
【００４８】
図７は、この発明の第四の実施形態を示す図である。全体の構成は、図１に示すものと同様であり、同一構成要素には同一符号を付し、その説明を省略する。図７において、防潮・防波堤７０の膜構造物１１には、膜構造物１１の下端に結合され、展張、収納に用いられるロープ５１、およびワイヤロープ１５に固定され、ロープ５１とスライド可能に設けられたスペーサ５２とが設けられている。
浮体１６´´´には、下面に膜構造物１１を収納する凹部７１と、膜構造物１１を保持する保持板（保持手段）７２と、ロープ５１を牽引するウインチ（牽引手段）７３とが設けられている。
【００４９】
保持板７２は、凹部７１の対向する面に回転自在に配置され、保持板７２を回転駆動する駆動装置７４が、浮体１６´´´に設けられ、保持板７２には、貫通孔７５が設けられている。
【００５０】
上記の構成からなる防潮・防波堤７０においては、図７に示すように、膜構造物１１が、凹部７１の保持板７２上に折りたたんで保持されている。この状態から、膜構造物１１を展張する際には、図８に示すように、保持板７２を略垂直になるように倒す。そして、ウインチ７３からロープ５１を巻き戻し、折りたたまれていた膜構造物１１は、ロープ５１が巻き戻されるにつれて、膜構造物１１の上部から徐々に広がりながら、下方へ展張される。
【００５１】
また、膜構造物１１を、浮体１６´´´に収納する際には、まず、ウインチ７３により、ロープ５１を巻き取る。すると、膜構造物１１の下端はロープ５１と結合されているので引き上げられ、膜構造物１１の中間地点は、スペーサ５２によりロープ５１とスライド可能に支持されているので、下から順番に折りたたまれながら引き上げられる。
その後、図７に示すように、保持板７２が、膜構造物１１をすくい上げるように起き上がり、膜構造物１１を水面上に保持する。水面上に保持された膜構造物１１には、折りたたまれた膜構造物１１の間などに水が溜まっており、その水は、保持板７２の貫通孔７５から下へ流れ落ちる。
【００５２】
膜構造物１１が、浮体１６´´´に収納された後は、長いケーブルワイヤ１５を浮体１６´´´間でたるませて、各ケーブルワイヤ１５の長さの違いを、浮体１６´´´間で補う。
【００５３】
上記の構成によれば、膜構造物１１は、浮体１６´´´の凹部７１に収納されるので、強風などの影響を受けない。そのため、膜構造物１１は、常に綺麗にたたまれた状態を保ち、円滑に展張することができ、円滑に水路を閉じることができる。
【００５４】
水面上に保持された膜構造物１１は、保持板７２に貫通孔７５が設けられているので、折りたたまれた膜構造物１１の間に貯まった水を、水切りすることができる。そのため、膜構造物１１の修理・点検が容易にできる。
【００５５】
【発明の効果】
以上説明したように、請求項１に係る発明によれば、前記浮体を一方向に回転させると、前記膜体は、前記浮体に巻き付き、前記膜体を収納することができる。また、前記浮体を他方向に回転させると、前記膜体は、送り出され、前記膜体を展開することができる。そのため、前記膜体を円滑に展張、収納することができ、円滑に水路を開閉できるという効果を奏する。
【００５６】
また、前記膜体は、前記浮体に巻き付いて収納されるため、水上に引き上げるのが容易であり前記膜体を容易に修理・点検できるという効果を奏する。
【００５７】
請求項２に係る発明によれば、前記移動手段を用いて、前記重りを移動させて、前記浮体の重心を変化させることにより、前記浮体を回転させることができる。そのため、前記膜体を円滑に展張、収納することができ、円滑に水路を開閉できるという効果を奏する。
【００５８】
請求項３に係る発明によれば、前記膜体は、前記保持部材の長さだけ間隔を開けて、折りたたむように引き上げられるので、前記膜体を折りたたむ作業を行う必要がない。また、前記膜体を下ろすときは、もつれることなく円滑に広がる。そのため、前記膜体を円滑に展張、収納することができ、円滑に水路を開閉できるという効果を奏する。
【００５９】
また、前記膜体は、前記索条体により、折りたたむように引き上げられている。そのため、水上に引き上げるのが容易であり前記膜体を容易に修理・点検できるという効果を奏する。
【００６０】
請求項４に係る発明によれば、前記膜体は、前記索条体により引き上げられ、水面よりも上で前記保持手段に保持される。そのため、前記膜体を水面上で修理・点検でき、作業が容易になるという効果を奏する。
【００６１】
また、前記膜体は、前記保持手段から水中に落下すると、折りたたむように引き上げられていたので、円滑に広がる。そのため、前記膜体を円滑に展張、収納することができ、円滑に水路を開閉できるという効果を奏する。
【００６２】
請求項５に係る発明によれば、前記膜体は、前記索条体により、前記凹部に収納され、前記保持手段により水面上に保持される。そのため、前記膜体を水面上で修理・点検でき、作業が容易になるという効果を奏する。
【００６３】
また、前記保持手段を解除すると、前記膜体は、前記凹部から水中に落下する。水中に落下した前記膜体は、折りたたむように引き上げられていたので、前記膜体は円滑に広がる。そのため、前記膜体を円滑に展張、収納することができ、円滑に水路を開閉できるという効果を奏する。
【図面の簡単な説明】
【図１】本発明による防潮・防波堤の第一の実施形態を示す平面図である。
【図２】本発明による防潮・防波堤の第一の実施形態を示す側面図である。
【図３】本発明による防潮・防波堤の第一の実施形態を示す要部断面図である。
【図４】本発明による防潮・防波堤の第一の実施形態を示す要部断面図である。
【図５】本発明による防潮・防波堤の第二の実施形態を示す要部断面図である。
【図６】本発明による防潮・防波堤の第三の実施形態を示す要部断面図である。
【図７】本発明による防潮・防波堤の第四の実施形態を示す要部断面図である。
【図８】本発明による防潮・防波堤の第四の実施形態を示す要部断面図である。
【図９】従来の防潮・防波堤の一例を示す断面図である。
【図１０】従来の防潮・防波堤の一例を示す断面図である。
【符号の説明】
１０、５０、６０、７０　防潮・防波堤
１２Ｒ、１２Ｌ　アンカレイジ（係止基礎）
１４　膜体
１６、１６´、１６´´、１６´´´　浮体
２０　第一の支持杆体（回転手段）
２１　第二の支持杆体（回転手段）
２２　第一の重り（回転手段）
２３　第二の重り（回転手段）
２４　センサ（回転手段）
２５　駆動部（移動手段、回転手段）
２６　制御部（回転手段）
５１　ロープ（索条体）
５２　スペーサ（保持部材）
５３　収納杆体（保持手段）
５４　ウインチ（牽引手段）
６１　ホイール（保持手段）
６２　無端ベルト（保持手段）
６３　ウインチ（牽引手段）
７１　凹部
７２　保持板（保持手段）
７３　ウインチ（牽引手段）
【図１】
2004132085.tif 000003
【図２】
2004132085.tif 000004
【図３】
2004132085.tif 000005
【図４】
2004132085.tif 000006
【図５】
2004132085.tif 000007
【図６】
2004132085.tif 000008
【図７】
2004132085.tif 000009
【図８】
2004132085.tif 000010
【図９】
2004132085.tif 000011
【図１０】
2004132085.tif 000012